(57)【要約】【課題】フラッシュ部の位置を高精度に検知することができるとともに、作業確認性を高めることができるストロボ装置のズーム機構を提供すること。【解決手段】放電管６とリフレクタ７を備えるフラッシュ部３をモータケース４内に移動可能に収容し、該フラッシュ部３を。モータ１５を駆動源とする送りネジ機構によって前後動させて可変配光を行うとともに、前記フラッシュ部３の位置を位置検出手段によって検出するストロボ装置１のズーム機構において、前記位置検出手段をセンサ感知リブ１１と該センサ感知リブ１１の通過を光学的に検知するＰＩセンサ（光学センサ）１３で構成し、前記フラッシュ部３の背面に前記センサ感知リブ１１と位置決めリブ１２を近接させて突設し、前記モータケース４の背面に、前記センサ感知リブ１１が貫通するための貫通孔４ｄを形成するとともに、該貫通孔４ｄの周囲に前記ＰＩセンサ１３を配置する。【選択図】図４
2016218302.tif 000002
【特許請求の範囲】
【請求項１】
放電管とリフレクタを備えるフラッシュ部をケース内に移動可能に収容し、該フラッシュ部を。モータを駆動源とする送りネジ機構によって前後動させて可変配光を行うとともに、前記フラッシュ部の位置を位置検出手段によって検出するストロボ装置のズーム機構において、
前記位置検出手段をセンサ感知リブと該センサ感知リブの通過を光学的に検知する光学センサで構成し、前記フラッシュ部の背面に前記センサ感知リブと位置決めリブを近接させて突設し、前記ケースの背面に、前記センサ感知リブが貫通するための貫通孔を形成するとともに、該貫通孔の周囲に前記光学センサを配置したことを特徴とするストロボ装置のズーム機構。
【請求項２】
前記貫通孔を、前記モータの近傍であって、前記放電管の光軸上且つ該放電管の発光幅内に配置したことを特徴とする請求項１記載のストロボ装置のズーム機構。
【請求項３】
前記貫通孔を、前記モータの直下に配置したことを特徴とする請求項１記載のストロボ装置のズーム機構。
【発明の詳細な説明】
【技術分野】
【０００１】
本発明は、ストロボ装置の可変配光を行うためのズーム機構に関するものである。
【背景技術】
【０００２】
例えば、デジタルカメラ等に用いられるストロボ装置は、夜間や雨天時等のように周囲が暗い環境下において、所定の撮影有効範囲内での撮影を可能とするための補助光としてストロボ光を被写体に向けて照射するものである。斯かるストロボ装置は、ストロボ光を出射する放電管と、該放電管から出射するストロボ光を被写体に向けて反射させるリフレクタを備えており、放電管には、小型で高照度のキセノン（Ｘｅ）管が多く使用されている。
【０００３】
ところで、ズーム機能を備えるカメラ用のストロボ装置は、カメラに連動してズーム位置を前後に移動させてフラッシュ光の配光（明るさと広がり）を可変とするためのズーム機構が設けられている。このズーム機構は、放電管とリフレクタを備えたフラッシュ部をケース内に移動可能に収容し、該フラッシュ部を駆動手段によって前後動させることによって可変配光を行うものである。ここで、駆動手段としては、モータと該モータによって回転駆動されるスクリュー軸及び該スクリュー軸に螺合する変換ナットを備える送りネジ機構が一般的に使用されている。
【０００４】
而して、ズーム機構を備えるストロボ装置においてカメラの状況に合った照射配光を得るためには、前後動させるフラッシュ部の位置が重要である。フラッシュ部を前後動させる送りネジ機構の駆動源であるモータには、ステッピングモータが多く使用されているが、このステッピングモータは、自分自身で初期位置を記憶することができないため、何らかのセンサを設けてフラッシュ部の初期位置又は基準位置を検知する必要がある。そして、センサによってフラッシュ部の初期位置又は基準位置が検知されると、ステッピングモータのステップ数によってフラッシュ部の位置を正確に求めることができる。
【０００５】
ところで、フラッシュ部の初期位置又は基準位置を検知するセンサには、機械式のスイッチ（例えば、特許文献１に開示されたワイド端検出スイッチ、特許文献２に開示された位置検出スイッチ等）、磁気式の近接スイッチ、光学式のフォトインタラプタ（ＰＩセンサ）等の種類があるが、何れのセンサを用いた場合であっても、フラッシュ部を初期位置又は基準位置に位置決めするための位置決めリブを該フラッシュ部に設け、この位置決めリブをケースに突き当てる必要がある。
【先行技術文献】
【特許文献】
【０００６】
【特許文献１】特開平３−０６１８９８号公報
【特許文献２】特開２００９−２２９９０４号公報
【発明の概要】
【発明が解決しようとする課題】
【０００７】
ところで、ストロボ装置の従来のズーム機構においては、センサの構造上の制約等から位置決めリブはセンサから離れた位置に設けられていたため、フラッシュ部の初期位置又は基準位置を高精度に検知することができないという問題があった。
【０００８】
又、ステッピングモータの構造上の理由からセンサや位置決めリブが下側に配置される場合があり、このような場合には、作業時にこれらのセンサや位置決めリブを作業者が目で確認することができないために作業確認性が悪いという問題もあった。
【０００９】
本発明は上記問題に鑑みてなされたもので、その目的とする処は、フラッシュ部の位置を高精度に検知することができるとともに、作業確認性を高めることができるストロボ装置のズーム機構を提供することにある。
【課題を解決するための手段】
【００１０】
上記目的を達成するため、請求項１記載の発明は、放電管とリフレクタを備えるフラッシュ部をケース内に移動可能に収容し、該フラッシュ部を。モータを駆動源とする送りネジ機構によって前後動させて可変配光を行うとともに、前記フラッシュ部の位置を位置検出手段によって検出するストロボ装置のズーム機構において、前記位置検出手段をセンサ感知リブと該センサ感知リブの通過を光学的に検知する光学センサで構成し、前記フラッシュ部の背面に前記センサ感知リブと位置決めリブを近接させて突設し、前記ケースの背面に、前記センサ感知リブが貫通するための貫通孔を形成するとともに、該貫通孔の周囲に前記光学センサを配置したことを特徴とする。
【００１１】
請求項２記載の発明は、請求項１記載の発明において、前記貫通孔を、前記モータの近傍であって、前記放電管の光軸上且つ該放電管の発光幅内に配置したことを特徴とする。
【００１２】
請求項３記載の発明は、請求項１記載の発明において、前記貫通孔を、前記モータの直下に配置したことを特徴とする。
【発明の効果】
【００１３】
本発明によれば、位置検出手段をフラッシュ部の背面に突設されたセンサ感知リブと光学センサで構成し、位置決めリブがケースに突き当たってフラッシュ部が初期位置又は基準位置に位置決めされたときにセンサ感知リブがケースの貫通孔を貫通し、貫通孔を貫通したセンサ感知リブを貫通孔の周囲に配置された光学センサが検知することによってフラッシュ部の初期位置又は基準位置が光学的に検知される。この場合、センサ感知リブと位置決めリブをフラッシュ部の背面に近接させて突設したため、位置決めリブがケースに突き当たることによって位置決めされるフラッシュ部の初期位置又は基準位置を高精度に検知することができる。
【００１４】
又、位置決めリブがケースに付き当たってフラッシュ部が初期位置又は基準位置に位置決めされると、センサ感知リブがケースの貫通孔を貫通して外部に突出するため、作業時に作業者はセンサ感知リブを目視することができ、これによって作業確認性が高められる。
【図面の簡単な説明】
【００１５】
【図１】本発明に係るズーム機構を備えるストロボ装置の斜視図である。
【図２】本発明に係るズーム機構の分解側面図である。
【図３】本発明に係るズーム機構の正面側分解斜視図である。
【図４】本発明に係るズーム機構の背面側分解斜視図である。
【図５】本発明に係るズーム機構の斜視図である。
【図６】本発明に係るズーム機構の正面図である。
【図７】図６のＡ−Ａ線断面図である。
【図８】本発明に係るズーム機構の側面図である。
【図９】図８のＢ−Ｂ線断面図である。
【図１０】本発明に係るズーム機構の背面図である。
【図１１】図１０のＣ−Ｃ線断面図である。
【発明を実施するための形態】
【００１６】
以下に本発明の実施の形態を添付図面に基づいて説明する。
【００１７】
図１は本発明に係るズーム機構を備えるストロボ装置の斜視図、図２は同ストロボ装置のズーム機構の分解側面図、図３は同ズーム機構の正面側分解斜視図、図４は同ズーム機構の背面側分解斜視図、図５は同ズーム機構の斜視図、図６は同ズーム機構の正面図、図７は図６のＡ−Ａ線断面図、図８は同ズーム機構の側面図、図９は図８のＢ−Ｂ線断面図。図１０は同ズーム機構の背面図、図１１は図１０のＣ−Ｃ線断面図である。
【００１８】
図１に示すストロボ装置１は、夜間や雨天時等のように周囲が暗い環境下においてストロボ光を被写体に向けて照射するためのものであって、カメラに連動して可変配光を行うためのズーム機構を備えている。このストロボ装置１は、ハウジング２内に、図２〜図４に示すように、光源部であるフラッシュ部３と、該フラッシュ部３を前後動可能に収容するモータケース４と、該モータケース４の上部に取り付けられた駆動ユニット５を収容して構成されている。
【００１９】
上記フラッシュ部３は、図２に示すように、細長い丸棒状の放電管（Ｘｅ管）６と、該放電管６から出射するストロボ光を被写体に向けて反射させるリフレクタ７と、これらの放電管６とリフレクタ７を収容するフラッシュケース８を含んで構成されている。尚、リフレクタ７とフラッシュケース８は、樹脂にて一体成形されており、リフレクタ７の内面の反射面にはアルミ蒸着等の反射処理が施されている。
【００２０】
上記フラッシュケース８は、前面が開口する矩形ボックス状の部材であって、その上面の幅方向中央には、図３及び図４に示すように、横方向に細長い矩形平板状のスライド板９がその左右をネジ１０によって締結されることによって取り付けられている。このスライド板９は、板金製であって、その中央部には横方向に細長い矩形の嵌合孔９ａが形成されている。尚、スライド板９の左右両端縁は、フラッシュケース８の上面の取付部８Ａより左右に幾分突出しており、左右の突出部の下方のフラッシュケース８の上面には、互いに平行なリブ８ａが前後方向に沿ってそれぞれ一体に突設されている。
【００２１】
又、図２及び図４に示すように、フラッシュケース８の背面の一側部には、縦方向に起立する矩形平板状のセンサ感知リブ１１が後方に向かって水平に突設されており、このセンサ感知リブ１１の横には、位置決めリブ１２が同じく後方に向かって水平に突設されている。
【００２２】
以上のように構成されたフラッシュ部３は、前述のようにモータケース４内に前後動可能に収容されるが、モータケース４は、図３及び図４に示すように、前面と上面が開口する矩形ボックス状の部材であって、その上面開口部の周縁には矩形枠４Ａが一体に形成されている。そして、この矩形枠４Ａの左右両側部の前後２箇所にはボス４ａがそれぞれ一体に形成されており、各一方のボス４ａの近傍には位置決めピン４ｂがそれぞれ一体に立設されている。又、モータケース４の後壁の幅方向中央上端には、上方が開口する半円状の嵌合孔４ｃが形成されている。更に、図４に示すように、モータケース４の背面の一側部（フラッシュケース８の前記センサ感知リブ１１に対応する箇所）には、縦方向に細長いスリット状の貫通孔４ｄが形成されており、モータケース４の背面の貫通孔４ｄの周囲には、フラッシュケース８のセンサ感知リブ１１の貫通孔４ｄへの貫通を光学的に検知するためのＰＩ（フォトインタラプタ）センサ１３が取り付けられている。
【００２３】
又、モータケース４の内部の上部左右には、図３、図４及び図９に示すように、断面Ｌ字状のガイドレール４ｅが互いに平行に前後方向に沿って一体に形勢されている。
【００２４】
前記駆動ユニット５は、板金製のブラケット１４に送りネジ機構を組み込んでユニットとして構成されており、送りネジ機構は、駆動源であるモータ１５と、該モータ１５によって回転駆動されるスクリュー軸１６と、該スクリュー軸１６に進退可能に螺合する変換ナット１７によって構成されている。ここで、モータ１５にはステッピングモータが使用されており、このモータ１５は、ブラケット１４の後端の幅方向中央に下方に向かって直角に折り曲げられることによって形成された取付片１４Ａに固定されている。又、ブラケット１４の前端部には、垂直下方に折り曲げられた支持片１４Ｂが形成されており、モータ１５から水平に前方に延びるスクリュー軸１６の前端部は、ブラケット１４の支持片１４Ｂに固定された軸受１８によって回転可能に支持されている。
【００２５】
更に、図３及び図４に示すように、ブラケット１４の幅方向中央には、前後方向に長い矩形のガイド孔１４ａが形成されており、ブラケット１４の左右両端部の前後２箇所（モータケース４のボス４ａに対応する２箇所）には円孔状のネジ挿通孔１４ｂがそれぞれ形成されており、各前側のネジ挿通孔１４ｂの横（モータケース４の位置決めピン４ｂに対応する箇所）には円孔状の位置決め孔１４ｃがそれぞれ形成されている。
【００２６】
而して、本発明に係るズーム機構の組み立ては次の要領でなされる。
【００２７】
即ち、先ず、図２〜図４に示すように上面にスライド板９が取り付けられたフラッシュ部３をモータケース４の前面開口部から内部に収容するが、このとき、スライド板９の左右両端縁を図９に示すようにモータケース４の左右のガイドレール４ｅ上に載せ、フラッシュ部３をモータケース４内の奥側へと押し込む。すると、スライド板９の両端縁が、図９に示すように、左右のガイドレール４ｅとフラッシュケース８の上面に突設された左右のリブ８ａによって挟持されるため、フラッシュ部３は、モータケース４内で左右のガイドレール４ｅに沿って前後に移動することができる。
【００２８】
上述のようにフラッシュ部３がモータケース４内に前後動可能に収容されると、次に、駆動ユニット５をモータケース４の上面開口部を覆うように上方から被せ、該駆動ユニット５のブラケット１４の左右に形成された位置決め孔１４ｃにモータケース４の上面に立設された左右の位置決めピン４ｂをそれぞれ嵌合させる。すると、駆動ユニット５がモータケース４に対して正確に位置きめされるとともに、モータ１５の下半部がモータケース４の嵌合孔４ｃに嵌め込まれ、更には変換ナット１７がスライド板９の嵌合孔９ａに嵌合する（図７及び図９参照）。このため、変換ナット１７とフラッシュ部３とが連結され、両者が一体的に前後動することができる。尚、図９に示すように、変換ナット１７の上端には、幅の狭いガイド突起１７ａが一体に突設されており、該ガイド突起１７の左右両端面は、ブラケット１４のガイド孔１４ａに嵌合している。
【００２９】
そして、最後にブラケット１４の左右に形成された各２つのネジ挿通孔１４ｂ（図３及び図４参照）にネジ１９（図５参照）をそれぞれ通し、これらのネジ１９をモータケース４の上面に立設された各ボス４ａにねじ込めば、図５に示すように駆動ユニット５がモータケース４の上部に取り付けられてズーム機構が組み立てられる。
【００３０】
次に、本発明に係るズーム機構の作用について説明する。
【００３１】
カメラのズーム機能に連動して駆動ユニット５のモータ１５が起動されると、該モータ１５が正転又は逆転してスクリュー軸１６が何れかの方向に回転する。すると、スクリュー軸１６に螺合する変換ナット１７がスクリュー軸１６に沿って前後動するため、該変換ナット１７に連結されたフラッシュ部３がモータケース４の左右のガイドレール４ｅに沿ってモータケース４内で前後動する。このため、フラッシュ部３の放電管６から出射するストロボ光の配光がカメラの状態に応じて可変される。
【００３２】
ところで、本実施の形態では、フラッシュ部３の背面に突設された位置決めリブ１２がモータケース４の後壁内面に突き当たったときにフラッシュ部３が初期位置又は基準位置に位置するように設定されている。そして、このようにフラッシュ部３が初期位置又は基準位置に位置しているときには、図１１に示すように、フラッシュ部３の背面に突設されたセンサ感知リブ１１がモータケース４の背面に形成された貫通孔４ｄを貫通するため、貫通孔４ｄの周囲に配置されたＰＩセンサ１３がセンサ感知リブ１１を光学的に検知する。従って、ＰＩセンサ１３がセンサ感知リブ１１を検知した時点でフラッシュ部３が初期位置又は基準位置にあることが検出され、この初期位置又は基準位置を起点としてモータ１５のステップ数によってフラッシュ部３の位置が高精度に検出される。
【００３３】
以上のように、本発明に係るズーム機構においては、フラッシュ部３の位置を検出するための位置検出手段をフラッシュ部３の背面に突設されたセンサ感知リブ１１とＰＩセンサ１３で構成し、位置決めリブ１２がモータケース４の後壁内面に突き当たってフラッシュ部３が初期位置又は基準位置に位置決めされたときにセンサ感知リブ１１がモータケース４の貫通孔４ｄを貫通し、貫通孔４ｄを貫通したセンサ感知リブ１１を貫通孔４ｄの周囲に配置されたＰＩセンサ１３が検知することによってフラッシュ部３の初期位置又は基準位置が光学的に検知される。この場合、センサ感知リブ１１と位置決めリブ１２をフラッシュ部３のフラッシュケース８の背面に近接させて突設したため、位置決めリブ１２がモータケース４の後壁内面に突き当たることによって位置決めされるフラッシュ部３の初期位置又は基準位置を高精度に検知することができる。
【００３４】
又、位置決めリブ１２がモータケース４の後壁内面に付き当たってフラッシュ部３が初期位置又は基準位置に位置決めされると、センサ感知リブ１１がモータケース４の貫通孔４ｄを貫通して外部に突出するため、作業時に作業者はセンサ感知リブ１１を目視することができ、これによって作業確認性が高められる。
【００３５】
ところで、本実施の形態では、センサ感知リブ１１が貫通する貫通孔４ｄをモータケース４の背面のモータ１５の近傍に配置したが、貫通孔４ｄは、モータ１５の近傍であって、放電管６の光軸上且つ該放電管６の発光幅内に配置し、或いはモータ１５の直下に配置することが望ましい。
【符号の説明】
【００３６】
１        ストロボ装置
２        ハウジング
３        フラッシュ部
４        モータケース（ケース）
４ｄ      モータケースの貫通孔
５        駆動ユニット
６        放電管
７        リフレクタ
８        フラッシュケース
９        スライド板
１０      ネジ
１１      センサ感知リブ
１２      位置決めリブ
１３      ＰＩセンサ（光学センサ）
１４      ブラケット
１４ａ    ブラケットのガイド孔
１５      モータ
１６      スクリュー軸
１７      変換ナット
１８      軸受
１９      ネジ
【図１】
2016218302.tif 000003
【図２】
2016218302.tif 000004
【図３】
2016218302.tif 000005
【図４】
2016218302.tif 000006
【図５】
2016218302.tif 000007
【図６】
2016218302.tif 000008
【図７】
2016218302.tif 000009
【図８】
2016218302.tif 000010
【図９】
2016218302.tif 000011
【図１０】
2016218302.tif 000012
【図１１】
2016218302.tif 000013